(57)【要約】【課題】温度表示を見ることができ、コストが安い、メッセージ表示装置を提供する。【解決手段】マトリクス状に配列された複数の発光素子からなり、前記複数の発光素子のオンとオフによって所定の表示をする表示手段２と、メッセージ情報が入力される入力手段１４と、気温を検知し、温度情報を出力する温度センサ１５と、制御手段２１とを備え、前記制御手段２１は同一の前記表示手段２に対し、前記メッセージ情報によるメッセージ表示および前記温度情報による温度表示を行わせる。望ましくは、前記温度表示は、文字表示と、それに続く温度値の表示とのランニング表示にて構成されている。【選択図】        図１
2005049741.tif 000002
【特許請求の範囲】
【請求項１】
マトリクス状に配列された複数の発光素子からなり、前記複数の発光素子のオンとオフによって所定の表示をする表示手段と、メッセージ情報が入力される入力手段と、気温を検知し、温度情報を出力する温度センサと、制御手段とを備え、前記制御手段は同一の前記表示手段に対し、前記メッセージ情報によるメッセージ表示および前記温度情報による温度表示を行わせる事を特徴とする表示装置。
【請求項２】
前記温度表示は、文字表示と、それに続く温度値の表示とのランニング表示にて構成されている事を特徴とする請求項１の表示装置。
【請求項３】
前記入力部に入力信号を出力するリモコンを設け、前記リモコンに所定の入力が選択的になされる事により、前記制御手段は前記表示手段に対し、前記メッセージ表示のみの表示又は前記温度表示のみの表示、又は前記メッセージ表示および前記温度表示の交互表示を行わせる事を特徴とする請求項２の表示装置。
【請求項４】
前記入力部に入力信号を出力するリモコンを設け、前記リモコンに所定の入力が選択的になされる事により、前記制御手段は前記表示手段に対し、文字表示およびデジタル温度表示、又は温度計の形状をしたアナログ温度表示を行わせる事を特徴とする請求項１の表示装置。
【発明の詳細な説明】
【技術分野】
【０００１】
本発明は表示装置に関する。
【背景技術】
【０００２】
従来、この種の装置は、例えば特許文献１に示されている。この特許文献１の図２によると、マトリクス状に配列した複数の発光素子からなり、その発光素子のオンとオフによって所定の表示をする表示手段１が設けられている。この表示手段１は、メッセージ表示のみを行っている（図１を参照）。
【特許文献１】特開２００３−３６０４５号公報
【発明の開示】
【発明が解決しようとする課題】
【０００３】
この装置を例えば、広告用表示装置として用いる場合、観察者（例えば、歩道を歩いている人々など）は、上記装置の表示を見ることができる。しかし、観察者は、この表示装置にて、気温等を見ることができない、第１の欠点がある。
【０００４】
この欠点を解消するために、本発明者は、この表示装置の隣に、温度表示させる表示部を設けた。しかし、全体の装置として、大型化しコストが高くなる、第２の欠点がある。そこで、本発明者はこの様な従来の欠点を考慮し、温度表示を見ることができ、コストが安い、メッセージ表示装置を提供する。
【課題を解決するための手段】
【０００５】
上記課題を解決するために、請求項１の本発明では、マトリクス状に配列された複数の発光素子からなり、前記複数の発光素子のオンとオフによって所定の表示をする表示手段と、メッセージ情報が入力される入力手段と、気温を検知し、温度情報を出力する温度センサと、制御手段とを備え、前記制御手段は同一の前記表示手段に対し、前記メッセージ情報によるメッセージ表示および前記温度情報による温度表示を行わせる。
【０００６】
請求項２の本発明では、前記温度表示は、文字表示と、それに続く温度値の表示とのランニング表示にて構成されている。
【０００７】
請求項３の本発明では、前記入力部に入力信号を出力するリモコンを設け、前記リモコンに所定の入力が選択的になされる事により、前記制御手段は前記表示手段に対し、前記メッセージ表示のみの表示、又は前記温度表示のみの表示、又は前記メッセージ表示および前記温度表示の交互表示を行わせる。
【０００８】
請求項４の本発明では、前記入力部に入力信号を出力するリモコンを設け、前記リモコンに所定の入力が選択的になされる事により、前記制御手段は前記表示手段に対し、文字表示およびデジタル温度表示、又は温度計の形状をしたアナログ温度表示を行わせる。
【発明の効果】
【０００９】
請求項１の本発明では、マトリクス状に配列された複数の発光素子からなり、複数の発光素子のオンとオフによって所定の表示をする表示手段と、メッセージ情報が入力される入力手段と、気温を検知し、温度情報を出力する温度センサと、制御手段とを備え、制御手段は同一の表示手段に対し、メッセージ情報によるメッセージ表示および温度情報による温度表示を行わせる。この構成の様に、温度（気温）表示させるので、観察者にとって利便性が向上する。更に、同一の表示手段において、メッセージ表示および温度表示を行うので、装置が小型化し、コストが安くなる。
【００１０】
請求項２の本発明では、温度表示は、文字表示と、それに続く温度値の表示とのランニング表示にて構成されている。この様に、文字表示と、温度値の表示をランニング表示させるので、観察者の視認性が向上する。
【００１１】
請求項３の本発明では、入力部に入力信号を出力するリモコンを設け、リモコンに所定の入力が選択的になされる事により、制御手段は表示手段に対し、メッセージ表示のみの表示、又は温度表示のみの表示、又はメッセージ表示および温度表示の交互表示を行わせる。この構成の様に、選択的に入力する事により、メッセージ表示、又は温度表示、又は交互表示を選択できるので、ユーザの選択範囲が広くなる。
【００１２】
請求項４の本発明では、入力部に入力信号を出力するリモコンを設け、リモコンに所定の入力が選択的になされる事により、制御手段は表示手段に対し、文字表示およびデジタル温度表示、又は温度計の形状をしたアナログ温度表示を行わせる。この構成の様に、選択的に入力することにより、文字表示およびデジタル表示、又は温度計の形状をしたアナログ温度表示を選択できる。その結果、ユーザは、より多くの観察者が好む温度表示のタイプを選択できるので、より多くの観察者が、この表示装置を注目し易くなる。
【発明を実施するための最良の形態】
【００１３】
以下に、図１ないし図４に従い、本発明を実施するための最良の形態に係る表示装置１を説明する。図１は、この表示装置１のブロック図である。図２は、表示装置１の表示手段２における、メッセージ表示の１例を示す。図３は、この表示手段２における、温度表示の１例である。図４は、表示手段２における、温度表示の他の例である。
【００１４】
これらの図において、表示体３を構成する回路基板上には、１６個の行電極と、１６個の列電極（いずれも図示せず）が、形成されている。各発光素子（例えば、赤色の発光ダイオードであるが、図示せず）のアノードは、Ｎ列目（Ｎ＝１〜１６）の列電極に接続されている。各発光素子のカソードはＭ行目（Ｍ＝１〜１６）の行電極に接続されている。この様にして、１６×１６＝２５６個の発光素子は、マトリクス状に配列されている。
【００１５】
１６個の行電極は例えば、１個の定電流ドライバ（ＩＣ等からなるが、図示せず）の各出力端子に接続されている。定電流ドライバの入力側には、クロック信号ＣＫと、ラッチ信号ＬＴと、データ信号Ｄ等が入力される。
【００１６】
１６個の列電極は例えば、１個の点灯制御ドライバ（ＩＣ等からなるが、図示せず）の各出力端子に接続されている。点灯制御ドライバの入力側には、スキャン（走査）信号Ｓが入力される。この点灯制御ドライバは、１列目の列電極から１６列目の列電極までを、順次、走査する様に、構成されている。
【００１７】
定電流ドライバに、データ信号Ｄ（シリアルデータ）が入力されると、定電流ドライバは、１行目の行電極から１６行目の行電極に対し、パラレルにデータを出力する。上記構成により、シリアルデータに従って、２５６個の発光素子はオンとオフすることにより、所定の表示を行う。上記定電流ドライバと、上記点灯制御ドライバとにより、ドライバＤ１は構成されている。
【００１８】
表示体４は表示体３と同一の構成であり、表示体３の左側に近接して配置されている。表示体５は表示体３と同一の構成であり、表示体４の左側に近接して配置されている。表示体６は表示体３と同一の構成であり、表示体５の左側に近接して配置されている。表示体７は表示体３と同一の構成であり、表示体６の左側に近接して配置されている。表示体８は表示体３と同一の構成であり、表示体７の左側に近接して配置されている。この様にして、表示体３，４，５，６，７，８は一直線状に配置されている。
【００１９】
ドライバＤ２，Ｄ３，Ｄ４，Ｄ５，Ｄ６は共に、ドライバＤ１と同一の構成である。各ドライバＤ２，Ｄ３，Ｄ４，Ｄ５，Ｄ６は、各表示体４，５，６，７，８を駆動する様に設けられている。以上の表示体３，４，５，６，７，８と、ドライバＤ１，Ｄ２，Ｄ３，Ｄ４，Ｄ５，Ｄ６等により、表示手段２は構成されている。
【００２０】
ＩＣカード９は、パーソナルコンピュータ等によりコードデータ等が書き込まれたものである。カード制御回路１０は、入力されたコードデータを、Ｉ／Ｏポート１１に対し、入力するものである。
【００２１】
リモコン１２は例えば、テンキー等の入力部と、変換部と、発光部（共に図示せず）等からなる。リモコン１２は、使用者（ユーザ）により、入力部に所定の入力がなされるとその入力に従う入力信号を重畳した赤外線信号を出力するものである。
【００２２】
リモコン制御回路１３は例えば、受光部と、変換部と、増幅部と、フィルタなどからなる。受光部は、リモコン１２から放射された赤外線信号を受光電流に変換する。変換部は受光電流から、必要な信号を抽出する。上記信号は増幅部により増幅され、フィルタによりフィルタリングされ、入力信号として、Ｉ／Ｏポート１１に対し、与えられる。この様にして、リモコン１２は入力部１４に対し、入力信号を出力するものである。
【００２３】
これらのカード制御回路１０と、リモコン制御回路１３等により、入力手段１４が構成される。前述した様に、入力手段１４を構成するカード制御回路１０には、コードデータ（即ち、メッセージ情報）が入力される。また、必要に応じて、リモコン１２を介して、入力手段１４を構成するリモコン制御回路１３に、メッセージ情報が入力されても良い。
【００２４】
温度センサ１５は例えばＩＣ等からなる。温度センサ１５は、表示装置１の内部に配置されている。温度センサ１５は気温を検知し、制御部１６に対し、その温度情報を出力するものである。
【００２５】
制御部１６は例えばＣＰＵ等からなる。ＲＯＭ１７はリードオンリーメモリであり、制御部１６の制御プログラムを記憶しており、制御部１６に接続されている。また、ＲＯＭ１７は、外字データ（後述）も記憶している。
【００２６】
Ｉ／Ｏポート１１は制御部１６に接続され、カード制御回路１０に接続され、リモコン制御回路１３に接続されている。フォントメモリ１８は、各文字のコードデータに対応するフォントデータを記憶しており、制御部１６に接続されている。また、フォントメモリ１８は、コードデータを持たないフォントデータ、例えば数字とか、℃のデータも記憶している。
【００２７】
ＲＡＭ１９はランダムアクセスメモリであり、制御部１６に接続されている。また、ＲＡＭ１９は、データを加工するためのワークエリアを有している。制御回路２０はゲートアレイ等からなり、制御部１６に接続され、表示手段２にも接続されている。制御回路２０は表示手段２に対して、クロック信号ＣＫと、ラッチ信号ＬＴと、データ信号Ｄと、走査信号Ｓを出力する。
【００２８】
これらのＩ／Ｏポート１１と、制御部１６と、ＲＯＭ１７と、フォントロム１８と、ＲＡＭ１９と、制御回路２０等により、制御手段２１が構成されている。これらの制御手段２１と、表示手段２と、温度センサ１５と、入力手段１４などにより、表示装置１は構成されている。
【００２９】
次に、主に図１と図２に従い、表示装置１における、メッセージ表示を説明する。例えば、ユーザがリモコン１２の表示部において、１を押し、０を押したとする。この時「メッセージ表示モード」が選択される。
【００３０】
リモコン１２は、リモコン制御回路１３とＩ／Ｏポート１１を介して、制御部１６に対し、所定の入力信号ａを出力する。この時、制御部１６は、入力信号ａに従って、フォントロム１８から、所定のフォントデータの組み合わせ（即ち、メッセージ情報）を取り込む。
【００３１】
制御部１６は上記メッセージ情報に従って、ＲＡＭ１９のワークエリアにおいて、データ信号Ｄ１を作成し、制御回路２０に対し、データ信号Ｄ１を出力する。その後、制御回路２０は表示手段２に対し、上記データ信号Ｄ１と、クロック信号ＣＫと、ラッチ信号ＬＴと、走査信号Ｓ等を出力する。
【００３２】
その結果、表示手段２はメッセージ表示のみの表示、例えば「いらっしゃい」（図２を参照）を表示させる。この様に、リモコン１２に所定の入力（１と０）が選択的になされると、リモコン１２は制御手段２１に対し、入力信号ａを出力する。これにより、制御手段２１は表示手段２に対し、メッセージ表示のみの表示を行わせる。
【００３３】
次に、主に図１と図３に従い、表示装置１における、温度表示を説明する。例えば、ユーザがリモコン１２の表示部において、２を押し、０を押したとする。この時「温度のランニング表示モード」が選択される。
【００３４】
リモコン１２は、リモコン制御回路１３とＩ／Ｏポート１１を介して、制御部１６に対し、所定の入力信号ｂを出力する。この時、制御部１６は、入力信号ｂに従って、フォントロム１８から、所定のフォントデータの組み合わせ（即ち、文字情報）を取り込む。
【００３５】
また、制御部１６は、温度センサ１５から入力された温度情報に従って、フォントロム１８から、例えば「２７」と「℃」とからなるフォントデータを取り込む。
【００３６】
制御部１６は上記文字情報および上記温度情報に従って、ＲＡＭ１９のワークエリアにおいて、データ信号Ｄ２を作成し、制御回路２０に対し、データ信号Ｄ２を出力する。その後、制御回路２０は表示手段２に対し、上記データ信号Ｄ２と、クロック信号ＣＫと、ラッチ信号ＬＴと、走査信号Ｓ等を出力する。
【００３７】
その結果、表示手段２は温度表示のみの表示、例えば「只今の気温  ２７℃」（図３を参照）を表示させる。この様に、リモコン１２に所定の入力（２と０）が選択的になされると、リモコン１２は制御手段２１に対し、入力信号ｂを出力する。これにより、制御手段２１は表示手段２に対し、温度表示のみの表示（図３を参照）を行わせる。
【００３８】
また上述した様に、リモコン１２に所定の入力（２と０）が選択的になされると、制御手段２１は表示手段２に対し、文字情報（例えば「只今の気温」）およびデジタル温度表示（例えば、「２７℃」）を行わせる。この様に、上記温度表示は、文字表示（例えば「只今の気温」）と、それに続く温度値の表示（例えば、「２７℃」）にて構成されている（図３を参照）。
【００３９】
次に、主に図１ないし図３に従い、表示装置１における、交互表示を説明する。例えばユーザがリモコン１２の表示部において、３を押し、０を押したとする。この時「交互表示モード」が選択される。
【００４０】
リモコン１２は、リモコン制御回路１３とＩ／Ｏポート１１を介して、制御部１６に対し、所定の入力信号ｃを出力する。この時、制御部１６は、入力信号ｃに従って、フォントロム１８から、メッセージ情報（前述した通り）を取り込む。また制御部１６は、入力信号ｃに従って、文字情報および温度情報（共に、前述した通り）を取り込む。
【００４１】
制御部１６は上記メッセージ情報に従って、ＲＡＭ１９のワークエリアにおいて、データ信号Ｄ１を作成する。また制御部１６は、上記文字情報および上記温度情報に従って、ＲＡＭ１９において、データ信号Ｄ２を作成する。
【００４２】
制御部１６は制御回路２０に対し、第１所定時間（例えば１分間）にデータ信号Ｄ１を出力させる。その後、制御部１６は制御回路２０に対し、第２所定時間（例えば１分間）にデータ信号Ｄ２を出力させる。その後、データ信号Ｄ１が出力される。
【００４３】
即ち、制御手段２１は表示手段２に対し、メッセージ表示（図２を参照）と、温度表示（図３を参照）の交互表示を行わせる。この様に、制御手段２１は同一の表示手段２に対して、メッセージ表示および温度表示を行わせる。
【００４４】
次に、主に図１および図４に従い、表示装置１における、温度表示の別の例を説明する。例えば、ユーザがリモコン１２の表示部において、４を押し、０を押したとする。この時「アナログ温度表示モード」が選択される。
【００４５】
リモコン１２は、リモコン制御回路１３とＩ／Ｏポート１１を介して、制御部１６に対し、所定の入力信号ｄを出力する。この時、制御部１６は、入力信号ｄに従って、ロム１７から、温度計の外形情報を取り込む。また制御部１６は、温度センサ１５から入力された温度情報に従って、ロム１７から、棒状情報を取り込む。これらの外形情報および棒状情報が、前述した外字データである。
【００４６】
制御部１６は上記外形情報および上記棒状情報に従って、ＲＡＭ１９のワークエリアにおいて、データ信号Ｄ３を作成し、制御回路２０に対し、データ信号Ｄ３を出力する。その後、制御回路２０は表示手段２に対し、上記データ信号Ｄ３と、クロック信号ＣＫと、ラッチ信号ＬＴと、走査信号Ｓ等を出力する。
【００４７】
その結果、表示手段２は、温度計の形状をしたアナログ温度表示２２を行う。アナログ温度表示２２は、外形部２３と棒部２４とからなる（図４を参照）。外形部２３は、円の部分と、長方形の部分との組みあわせである。外形部２３は、前述した外形情報に基づく表示である。棒部２４は、円の部分と、棒の部分との組みあわせである。棒部２４は、前述した棒の情報に基づく表示である。
【図面の簡単な説明】
【００４８】
【図１】本発明を実施するための最良の形態に係る表示装置１のブロック図である。
【図２】この表示装置１の表示手段２における、メッセージ表示の１例である。
【図３】この表示手段２における、温度表示の１例である。
【図４】この表示手段２における、温度表示の別の例である。
【符号の説明】
【００４９】
２  表示手段
１４  入力手段
１５  温度センサ
２１  制御手段
【図１】
2005049741.tif 000003
【図２】
2005049741.tif 000004
【図３】
2005049741.tif 000005
【図４】
2005049741.tif 000006